(57)【要約】【課題】表示装置において、外部機器の接続状態が変更された際にユ−ザに報知でき、使い勝手を良くする。【解決手段】ＴＶ受像機は、ＨＤＭＩ端子に接続されているＨＤＭＩ機器を識別する識別情報を格納した接続機器管理情報を有する。ＴＶ受像機は、ＨＤＭＩ端子にＨＤＭＩ機器が接続されている場合（Ｓ３でＹＥＳ）、接続されているＨＤＭＩ機器からＣＥＣコマンドを用いて、識別情報を取得する（Ｓ５）。そして、ＴＶ受像機は、接続機器管理情報に格納されている識別情報を読み込み、この識別情報と、上記Ｓ５で取得した識別情報とが一致するか判断する（Ｓ６）。この判断の結果、例えば、「ＯＳＤ  Ｎａｍｅ」の内容が一致しない等の場合（Ｓ７でＮＯ）、ＯＳＤ出力部を用いて、ＨＤＭＩ端子に接続されているＨＤＭＩ機器の接続状態が変更された旨のメッセージをディスプレイに表示する（Ｓ１０）。【選択図】図３
2012004964.tif 000002
【特許請求の範囲】
【請求項１】
ＨＤＭＩ（Ｈｉｇｈ−Ｄｅｆｉｎｉｔｉｏｎ  Ｍｕｌｔｉｍｅｄｉａ  Ｉｎｔｅｒｆａ
ｃｅ）規格に対応する複数の外部機器を接続可能な接続手段と、
前記接続手段に接続されている外部機器から識別情報を取得する識別情報取得手段と、
各種メッセージをユーザに報知する報知手段と、
装置各部を制御する制御手段とを備える表示装置において、
前記識別情報取得手段によって取得された前記識別情報を記憶する識別情報記憶手段を
さらに備え、
前記制御手段は、自装置が起動されたときに、前記識別情報取得手段を用いて、前記接
続手段に接続されている外部機器から識別情報を取得した後、取得した識別情報と、前記
識別情報記憶手段に記憶されている識別情報とが一致するか否かを判断し、この判断の結
果、一致しない場合、前記報知手段を用いてユ−ザに、前記接続手段に接続されている前
記外部機器が変更された旨を報知することを特徴とする表示装置。
【請求項２】
前記識別情報は、ＨＤＭＩ規格における「Ｐｈｙｓｉｃａｌ  Ａｄｄｒｅｓｓ」、「Ｖ
ｅｎｄｏｒ  ＩＤ」、又は「ＯＳＤ  Ｎａｍｅ」を含むものであることを特徴とする請求
項１に記載の表示装置。
【発明の詳細な説明】
【技術分野】
【０００１】
本発明は、ＨＤＭＩ（Ｈｉｇｈ−Ｄｅｆｉｎｉｔｉｏｎ  Ｍｕｌｔｉｍｅｄｉａ  Ｉｎ
ｔｅｒｆａｃｅ）規格に対応した外部機器の接続可能な表示装置に関する。
【背景技術】
【０００２】
近年、ＨＤＭＩ規格に対応した外部機器（以下、ＨＤＭＩ機器という）を接続可能なＴ
Ｖ受像機が普及している。ユ−ザによっては、このＴＶ受像機に複数のＨＤＭＩ機器を接
続して使用することがある。ＨＤＭＩ機器とＴＶ受像機とは、ＨＤＭＩケ−ブルを介して
接続され、各機器は互いに制御信号（以下、ＣＥＣコマンドという）によって動作の制御
を行う。
【０００３】
上記ＴＶ受像機に据え置き型のＨＤＭＩ機器を接続している場合、一般的に、この種の
ＨＤＭＩ機器とＴＶ受像機との接続を解除する頻度は非常に低い。すなわち、この種のＨ
ＤＭＩ機器とＴＶ受像機とは、ほぼ常に接続された状態であるため、ＴＶ受像機からＨＤ
ＭＩ機器を制御できない場合、ユーザは、ＨＤＭＩ機器が故障したと認識することが一般
的である。
【０００４】
ところが、何らかの要因によってＨＤＭＩケーブルが抜けたことや、第三者によってＴ
Ｖ受像機のＨＤＭＩ端子に接続されているＨＤＭＩ機器が変更されたことが原因で、ＴＶ
受像機からＨＤＭＩ機器を制御できない場合であっても、ユーザは、そのような原因によ
り接続状態が変更されたことによってＴＶ受像機からＨＤＭＩ機器を制御できないと気付
かないことがある。従って、ユ−ザがＨＤＭＩ機器の故障であると誤認識してしまうこと
を防ぐことができないため、使い勝手が悪い。
【０００５】
これに対して、接続されているＨＤＭＩ機器の機器情報の一覧を表示可能なＴＶ受像機
が知られている（例えば、特許文献１及び２参照）。しかしながら、この種のＴＶ受像機
では、ユ−ザが、前回表示された機器情報の一覧の内容と今回表示された機器情報の一覧
の内容とを比較しなければ、接続されているＨＤＭＩ機器の接続状態が変更されたことが
分からないため、接続状態の変更を容易に知ることができず、上記問題を解決できない。
【先行技術文献】
【特許文献】
【０００６】
【特許文献１】特開２００９−１９４７５３号公報
【特許文献２】特開２００９−２１１１６３号公報
【発明の概要】
【発明が解決しようとする課題】
【０００７】
本発明は、上述した問題点を解決するためになされたものであり、外部機器の接続状態
が変更された際にユ−ザに報知可能であり、使い勝手の良い表示装置を提供することを目
的とする。
【課題を解決するための手段】
【０００８】
上記目的を達成するために請求項１の発明は、ＨＤＭＩ（Ｈｉｇｈ−Ｄｅｆｉｎｉｔｉ
ｏｎ  Ｍｕｌｔｉｍｅｄｉａ  Ｉｎｔｅｒｆａｃｅ）規格に対応する複数の外部機器を接
続可能な接続手段と、前記接続手段に接続されている外部機器から識別情報を取得する識
別情報取得手段と、各種メッセージをユーザに報知する報知手段と、装置各部を制御する
制御手段とを備える表示装置において、前記識別情報取得手段によって取得された前記識
別情報を記憶する識別情報記憶手段をさらに備え、前記制御手段は、自装置が起動された
ときに、前記識別情報取得手段を用いて、前記接続手段に接続されている外部機器から識
別情報を取得した後、取得した識別情報と、前記識別情報記憶手段に記憶されている識別
情報とが一致するか否かを判断し、この判断の結果、一致しない場合、前記報知手段を用
いてユ−ザに、前記接続手段に接続されている前記外部機器が変更された旨を報知するも
のである。
【０００９】
また、請求項２の発明は、請求項１に記載の表示装置において、前記識別情報は、ＨＤ
ＭＩ規格における「Ｐｈｙｓｉｃａｌ  Ａｄｄｒｅｓｓ」、「Ｖｅｎｄｏｒ  ＩＤ」、又
は「ＯＳＤ  Ｎａｍｅ」を含むものである。
【発明の効果】
【００１０】
本発明によれば、接続されている外部機器から識別情報を取得した後、取得した識別情
報と、記憶されている識別情報とが一致しない場合、ユ−ザに、接続されている外部機器
が変更された旨を報知する。そのため、ユ−ザは、外部機器の接続状態が変更されたこと
を容易に知ることができるので、例えば、意図しない外部機器の接続解除や外部機器の接
続状態の変更に容易に気付くことができ、使い勝手が良くなる。
【図面の簡単な説明】
【００１１】
【図１】本発明の一実施形態に係るＴＶ受像機と、このＴＶ受像機に接続された複数のＨＤＭＩ機器とを示す概略構成図。
【図２】上記ＴＶ受像機の内部構成を示すブロック図。
【図３】上記ＴＶ受像機における接続機器変更検出処理の手順を示すフローチャート。
【図４】上記接続機器変更検出処理においてディスプレイに表示されるメッセ−ジの一例を示す説明図。
【図５】上記接続機器変更検出処理における接続機器管理情報更新処理の詳細な手順を示すフローチャート。
【発明を実施するための形態】
【００１２】
以下、本発明の一実施形態に係るテレビジョン受像機について、図１及び図２を参照し
て説明する。図１は、テレビジョン（以下、ＴＶという）受像機（表示装置）１と、この
ＴＶ受像機１に接続されたＨＤＤレコ−ダ（外部機器）４１、４２、及びＤＶＤプレ−ヤ
（外部機器）５１の概略構成を示す。図２は、ＴＶ受像機１の内部構成を示す。
【００１３】
ＴＶ受像機１、ＨＤＤレコ−ダ４１、４２、及びＤＶＤプレ−ヤ５１はいずれも、ＨＤ
ＭＩ（Ｈｉｇｈ−Ｄｅｆｉｎｉｔｉｏｎ  Ｍｕｌｔｉｍｅｄｉａ  Ｉｎｔｅｒｆａｃｅ）
規格に対応した機器であり、ＨＤＭＩ−ＣＥＣ規格に基づくＣＥＣコマンドと、ＣＥＣコ
マンドに対するレスポンスデータとを送受信可能である。ＨＤＤレコ−ダ４１、４２、及
びＤＶＤプレ−ヤ５１のそれぞれは、ＨＤＭＩケ−ブル３１〜３３を介してＴＶ受像機１
と接続している。
【００１４】
ＴＶ受像機１は、図２に示すように、放送局から放送される放送信号を受信するチュー
ナ部１１と、チューナ部１１によって受信された放送信号に基づくＴＶ番組の映像を表示
するディスプレイ１２と、ＴＶ番組の音声を出力するスピーカ１３と、ユ−ザによって操
作される各種操作ボタンを有する操作部１４とを備える。また、ＴＶ受像機１は、ＨＤＭ
Ｉ規格に対応した外部機器（以下、ＨＤＭＩ機器という）を接続するためのＨＤＭＩ端子
ユニット１５と、各種情報を記憶したメモリ（識別情報記憶手段）１６と、装置各部を制
御するための制御用マイコン（制御手段）１７とをさらに備える。
【００１５】
ＨＤＭＩ端子ユニット１５は、第１ＨＤＭＩ端子１５ａ〜第５ＨＤＭＩ端子１５ｅ（接
続手段）を有しており、ＨＤＭＩケ−ブルを介してＴＶ受像機１に接続可能なＨＤＭＩ機
器の台数は５台である。
【００１６】
第１ＨＤＭＩ端子１５ａには、ＨＤＤレコーダ４１と接続されたＨＤＭＩケーブル３１
の一端が接続されており、第２ＨＤＭＩ端子１５ｂには、ＨＤＤレコーダ４２と接続され
たＨＤＭＩケーブル３２の一端が接続されている。第３ＨＤＭＩ端子１５ｃには、ＤＶＤ
プレ−ヤ５１と接続されたＨＤＭＩケーブル３３の一端が接続されている。
【００１７】
メモリ１６は、制御用マイコン１７を動作させるためのプログラム１６ａと、接続機器
管理情報（識別情報記憶手段）１６ｂとを記憶している。
【００１８】
接続機器管理情報１６ｂは、第１ＨＤＭＩ端子１５ａ〜第５ＨＤＭＩ端子１５ｅに接続
されているＨＤＭＩ機器を識別するための識別情報を格納している。具体的に例えば、接
続機器管理情報１６ｂは、ＨＤＭＩ規格における「Ｐｈｙｓｉｃａｌ  Ａｄｄｒｅｓｓ」
、「Ｖｅｎｄｏｒ  ＩＤ」、及び「ＯＳＤ  Ｎａｍｅ」等の情報を格納している。
【００１９】
制御用マイコン１７は、映像出力部１７ａと、音声出力部１７ｂと、ＨＤＭＩ通信部（
識別情報取得手段）１７ｃと、接続機器変更検出部１７ｄと、ＯＳＤ（Ｏｎ−Ｓｃｒｅｅ
ｎ  Ｄｉｓｐｌａｙ）出力部（報知手段）１７ｅとを有する。制御用マイコン１７は、Ｈ
ＤＭＩ端子ユニット１５（第１ＨＤＭＩ端子１５ａ〜第５ＨＤＭＩ端子１５ｅ）に接続さ
れているＨＤＭＩ機器から識別情報を取得し、接続されているＨＤＭＩ機器の接続状態が
変更されたか否かを検出する接続機器変更検出処理を行い、処理の結果に応じて、各種メ
ッセージを表示してユーザに報知する。
【００２０】
映像出力部１７ａは、チューナ部１１によって受信されたＴＶ番組の映像をディスプレ
イ１２に出力する。音声出力部１７ｂは、チューナ部１１によって受信されたＴＶ番組の
音声をスピーカ１３に出力する。
【００２１】
ＨＤＭＩ通信部１７ｃは、ＨＤＭＩ端子ユニット１５に接続されたＨＤＤレコ−ダ４１
、４２、ＤＶＤプレ−ヤ５１等のＨＤＭＩ機器に対して各種ＣＥＣコマンド及びレスポン
スデータの送受信を行う。具体的には例えば、ＨＤＭＩ機器に対して、「Ｐｈｙｓｉｃａ
ｌ  Ａｄｄｒｅｓｓ」、「Ｖｅｎｄｏｒ  ＩＤ」、「ＯＳＤ  Ｎａｍｅ」、及び論理アド
レス等を問い合せるＣＥＣコマンドを送信し、ＨＤＭＩ機器から送信されたレスポンスデ
−タを受信する。
【００２２】
接続機器変更検出部１７ｄは、メモリ１６に記憶されている接続機器管理情報１６ｂに
基づいて、ＨＤＭＩ端子ユニット１５に接続されたＨＤＭＩ機器の接続状態が変更された
か否かを検出する。ＯＳＤ出力部１７ｅは、ユーザに報知するための各種メッセージをＯ
ＳＤにてディスプレイ１２に表示する。
【００２３】
次に、ＴＶ受像機１における接続機器変更検出処理について、図３及び図４を参照して
説明する。図３は、接続機器変更検出処理の手順を示すフローチャートである。図４は、
ディスプレイ１２に表示されるメッセージの一例を示す。ここでは、、第１ＨＤＭＩ端子
１５ａ〜第５ＨＤＭＩ端子１５ｅに接続されているＨＤＭＩ機器の識別情報が、接続機器
管理情報１６ｂに、既に格納されているものとする。
【００２４】
まず、ＴＶ受像機１の電源がオンされて、自装置１が起動されると（Ｓ１）、制御用マ
イコン１７は、第１ＨＤＭＩ端子１５ａ〜第５ＨＤＭＩ端子１５ｅにＨＤＭＩ機器が接続
されているか否かを判断する（Ｓ２）。この判断の結果、ＨＤＭＩ機器が接続されていな
い場合（Ｓ３でＮＯ）、制御用マイコン１７は、ＯＳＤ出力部１７ｅを用いて、ＨＤＭＩ
機器が接続されていない旨のメッセ−ジをディスプレイ１２に表示する（Ｓ４）。ディス
プレイ１２に表示されるメッセ−ジは、例えば、「機器が接続されていません。」等であ
る。
【００２５】
一方、上記Ｓ２の判断の結果、ＨＤＭＩ機器が接続されている場合（Ｓ３でＹＥＳ）、
制御用マイコン１７は、ＨＤＭＩ通信部１７ｃを用いて、第１ＨＤＭＩ端子１５ａ〜第５
ＨＤＭＩ端子１５ｅに接続されているＨＤＭＩ機器から識別情報を取得する（Ｓ５）。具
体的には、制御用マイコン１７は、ＨＤＭＩ通信部１７ｃを用いて、ＣＥＣコマンドの「
Ｓｙｓｔｅｍ  Ｉｎｆｏｒｍａｔｉｏｎ」、「Ｄｅｖｉｃｅ  ＯＳＤ  Ｎａｍｅ  Ｔｒａ
ｎｓｆｅｒ」、及び「Ｖｅｎｄｏｒ  Ｓｐｅｃｉｆｉｃ」をＨＤＭＩ機器に送信すること
により、ＨＤＭＩ機器から「Ｐｈｙｓｉｃａｌ  Ａｄｄｒｅｓｓ」、「ＯＳＤ  Ｎａｍｅ
」、及び「Ｖｅｎｄｏｒ  ＩＤ」等の識別情報を取得する。
【００２６】
そして、制御用マイコン１７は、接続機器管理情報１６ｂに格納されている識別情報を
読み込み、この識別情報と、上記Ｓ５で取得した識別情報とが一致するか判断する（Ｓ６
）。
この判断の結果、「ＯＳＤ  Ｎａｍｅ」の内容が一致しない場合（Ｓ７でＮＯ）、「Ｖｅ
ｎｄｏｒ  ＩＤ」の内容が一致しない場合（Ｓ７でＹＥＳ、Ｓ８でＮＯ）、又は「Ｐｈｙ
ｓｉｃａｌ  Ａｄｄｒｅｓｓ」の内容が一致しない場合（Ｓ７でＹＥＳ、Ｓ８でＹＥＳ、
Ｓ９でＮＯ）、制御用マイコン１７は、ＯＳＤ出力部１７ｅを用いて、第１ＨＤＭＩ端子
１５ａ〜第５ＨＤＭＩ端子１５ｅに接続されているＨＤＭＩ機器の接続状態が変更された
旨のメッセージをディスプレイ１２に表示する（Ｓ１０）。ディスプレイ１２に表示され
るメッセージは、例えば、図４に示すように、「接続機器が変更されています。」である
。
【００２７】
そして、制御用マイコン１７は、上記Ｓ５で取得した識別情報に基づいて接続機器管理
情報１６ｂの内容を更新するための接続機器管理情報更新処理を行う（Ｓ１１）。
【００２８】
次に、上記Ｓ１１における接続機器管理情報更新処理の手順について、図５に示すフロ
ーチャートを参照して説明する。まず、制御用マイコン１７は、ＯＳＤ出力部１７ｅを用
いて、接続機器管理情報１６ｂを更新するか否かをユーザに確認するためのメッセージを
ディスプレイ１２に表示する（Ｓ２１）。
【００２９】
ユーザによって接続機器管理情報１６ｂの更新が選択された場合（Ｓ２２でＹＥＳ）、
制御用マイコン１７は、接続機器管理情報１６ｂの内容を、上記図３のＳ５で取得した識
別情報の内容に更新する（Ｓ２３）。一方、ユーザによって接続機器管理情報１６ｂの更
新が選択されなかった場合（Ｓ２２でＮＯ）、制御用マイコン１７は、上記Ｓ２３の処理
を行わない。
【００３０】
上述したように、本実施形態に係るＴＶ受像機１においては、第１ＨＤＭＩ端子１５ａ
〜第５ＨＤＭＩ端子１５ｅに接続されているＨＤＭＩ機器から識別情報を取得した後、取
得した識別情報と、接続機器管理情報１６ｂに格納されている識別情報とが一致しない場
合、接続されているＨＤＭＩ機器の接続状態が変更された旨のメッセージをディスプレイ
１２に表示する。そのため、ユ−ザは、ＴＶ受像機１に接続されるＨＤＭＩ機器の接続状
態が変更されたことを容易に知ることができるので、例えば、意図しないＨＤＭＩ機器の
接続解除やＨＤＭＩ機器の接続状態の変更に容易に気付くことができ、使い勝手が良くな
る。
【００３１】
また、第１ＨＤＭＩ端子１５ａ〜第５ＨＤＭＩ端子１５ｅにＨＤＭＩ機器が接続されて
いない場合であっても、ＨＤＭＩ機器が接続されていない旨のメッセージをディスプレイ
１２に表示する。そのため、ユ−ザは、前回、ＨＤＭＩ機器を接続していた場合、ＨＤＭ
Ｉ機器の接続状態が変更されたことを容易に知ることができるため、使い勝手が良くなる
。
【００３２】
なお、本発明は、上記実施形態の構成に限られず、発明の趣旨を変更しない範囲で種々
の変形が可能である。例えば、上記実施形態において、請求項に示す表示装置がＴＶ受像
機である場合を示したが、これに限られず、例えば、映像を表示可能であり、ＨＤＭＩ機
器を接続可能なモニタ装置であってもよい。また、ＨＤＭＩ機器の接続状態が変更されて
いる場合、ＨＤＭＩ機器の接続状態の変更をユ−ザに報知するための音声メッセージをス
ピーカから出力するものであってもよい。
【符号の説明】
【００３３】
１  ＴＶ受像機（表示装置）
１６  メモリ（識別情報記憶手段）
１７  制御用マイコン（制御手段）
４１、４２  ＨＤＤレコ−ダ（外部機器）
５１  ＤＶＤプレ−ヤ（外部機器）
１５ａ  第１ＨＤＭＩ端子（接続手段）
１５ｂ  第２ＨＤＭＩ端子（接続手段）
１５ｃ  第３ＨＤＭＩ端子（接続手段）
１５ｄ  第４ＨＤＭＩ端子（接続手段）
１５ｅ  第５ＨＤＭＩ端子（接続手段）
１６ｂ  接続機器管理情報（識別情報記憶手段）
１７ｃ  ＨＤＭＩ通信部（識別情報取得手段）
１７ｅ  ＯＳＤ出力部（報知手段）
【図１】
2012004964.tif 000003
【図２】
2012004964.tif 000004
【図３】
2012004964.tif 000005
【図４】
2012004964.tif 000006
【図５】
2012004964.tif 000007